【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】  周辺機器装置本体のステータスを記憶する記憶手段と、
外部からの要求に応じて前記ステータスを読み出して出力する出力手段とを備え、
前記ステータスは少なくとも正常、異常及び条件付き正常として表されることを特徴とする周辺機器装置。
【請求項２】  前記周辺機器装置はプリンタであることを特徴とする請求項１記載の周辺機器装置。
【請求項３】  前記条件とは、プリンタの出力枚数制限であることを特徴とする請求項２記載の周辺機器装置。
【請求項４】  前記条件とは、プリンタの出力解像度制限であることを特徴とする請求項２記載の周辺機器装置。
【請求項５】  周辺機器装置本体のステータスを記憶するステップと、
外部からの要求に応じて前記ステータスを読み出して出力するステップとを備え、
前記ステータスは少なくとも正常、異常及び条件付き正常のうち少なくとも一つとして表されることを特徴とする周辺機器装置の制御方法。
【請求項６】  周辺機器装置本体のステータスを記憶し、
外部からの要求に応じて前記ステータスを読み出して出力し、
前記ステータスは少なくとも正常、異常及び条件付き正常として表すプログラムが記憶された記憶媒体。
【請求項７】  周辺機器の現在のステータスを情報として保持し、現在のステータスによってジョブの実行を制御することが可能な周辺機器において、
クライアントから周辺機器の現在のステータスの取得を要求された場合、保持している周辺機器の現在のステータスを返信する手段を有することを特徴とする周辺機器装置。
【請求項８】  前記ステータスは機器の状態を段階的に表すことを特徴とする請求項７記載の周辺機器装置。
【請求項９】  周辺機器の段階的ステータスは正常、条件付き正常、異常の３種類であることを特徴とする請求項８記載の周辺機器装置。
【請求項１０】  周辺機器の現在のステータスが条件付き正常であり、クライアントからその理由を要求された場合、周辺機器内部に保持されているジョブの実行が制限付きで可能な場合に参照すべき属性値を返信する手段を有することを特徴とする請求項８記載の周辺機器装置。
【請求項１１】  周辺機器の現在のステータスが異常であり、クライアントからその理由を要求された場合、周辺機器内部に保持されている異常の場合の理由の値を返信する手段を有することを特徴とする請求項８記載の周辺機器装置。
【請求項１２】  周辺機器の現在のステータスが正常であった場合、ジョブの発行を行う手段を有することを特徴とする請求項８記載の周辺機器装置。
【請求項１３】  周辺機器の現在の状況が条件付き正常であった場合、周辺機器内部に保持されているジョブの実行が制限付きで可能な場合に参照すべき属性値を取得する手段と、その属性値とジョブ内容を比較する手段と、
ジョブ内容が属性値の条件を満たした場合、ジョブの発行を行う手段を有することを特徴とする請求項８記載の周辺機器装置。
【請求項１４】  周辺機器の現在の状況が条件付き正常であった場合、周辺機器内部に保持されているジョブの実行が制限付きで可能な場合に参照すべき属性値を取得する手段と、その属性値とジョブ内容を比較する手段と、
ジョブ内容が属性値の条件を満たしていない場合、ジョブの発行を中止する手段と、
その理由を表示する表示手段を有することを特徴とする請求項８記載の周辺機器装置。
【請求項１５】  周辺機器の現在の状況が異常であった場合、周辺機器内部に保持されている異常の場合の理由を示す属性の値を取得する手段と、
異常の場合の理由を表示する手段を有することを特徴とする請求項８記載の周辺機器装置。
【請求項１６】  ネットワークに接続された情報処理装置からのジョブ要求を実行する周辺機器装置であって、
周辺機器装置本体のステータスを記憶する記憶手段と、
前記情報処理装置から要求されるジョブが前記ステータスとの関係で実行可能か判断する判断手段と、
判断手段による判断の結果が実行不可能であった場合には前記情報処理装置からのジョブ発行を規制する手段とを備えたことを特徴とする周辺機器装置。
【請求項１７】  前記ステータスは機器の状態を段階的に表すことを特徴とする請求項１６記載の周辺機器装置。
【請求項１８】  周辺機器の段階的ステータスは正常、条件付き正常、異常の３種類であることを特徴とする請求項１６記載の周辺機器装置。
【請求項１９】  ネットワークに接続された情報処理装置からのジョブ要求を実行する周辺機器装置の制御方法であって、
周辺機器装置本体のステータスを記憶するステップと、
前記情報処理装置から要求されるジョブが前記ステータスとの関係で実行可能か判断するステップと、
判断ステップによる判断の結果が実行不可能であった場合には前記情報処理装置からのジョブ発行を規制する手段とを備えたことを特徴とする周辺機器装置の制御方法。
【請求項２０】  前記ステータスは機器の状態を段階的に表すことを特徴とする請求項１９記載の周辺機器装置の制御方法。
【請求項２１】  ネットワークを介して接続された情報処理装置からのジョブ要求を実行する周辺機器装置であって、
前記情報処理装置から送られるユーザ情報に基づいて、前記ジョブ要求の発行に先立ってユーザ認証を行なうことを特徴とする周辺機器装置。
【請求項２２】  前記ユーザ情報にはユーザ識別コードを用いることを特徴とする請求項２１記載の周辺機器装置。
【請求項２３】  前記ユーザ情報にはユーザ識別コード及びユーザパスワードを用いることを特徴とする請求項２１記載の周辺機器装置。
【請求項２４】  前記ユーザ情報にはユーザ識別コード及び／又はユーザパスワード及び／又はサービスの種類を示すサービス識別コードを用いることを特徴とする請求項２１記載の周辺機器装置。
【請求項２５】  ネットワークを介して接続された情報処理装置からのジョブ要求を実行する周辺機器装置の制御方法であって、
前記情報処理装置から送られるユーザ情報に基づいて、前記ジョブ要求の発行に先立ってユーザ認証を行なうステップを有することを特徴とする周辺機器装置の制御方法。
【請求項２６】  ネットワークを介して接続された情報処理装置と周辺機器装置とから構成されたシステムであって、
前記情報処理装置は、ジョブ要求の送出に先立って前記ネットワークを介してユーザ情報を送出し、
前記周辺機器装置は前記ユーザ情報に基づいてユーザ認証を行い、認証の結果に応じて前記情報処理装置からのジョブ要求の送出を規制することを特徴とするシステム。
【請求項２７】  前記周辺機器装置はプリンタであることを特徴とする請求項２６記載のシステム。
【請求項２８】  前記プリンタは物理プリンタ及び論理プリンタであることを特徴とする請求項２７記載のシステム。
【請求項２９】  前記周辺機器装置はスキャナであることを特徴とする請求項２６記載のシステム。
【請求項３０】  前記周辺機器装置はプリンタ及びスキャナであり、コピージョブを実行可能であることを特徴とする請求項２６記載のシステム。
【請求項３１】  前記ユーザ情報にはユーザ識別コードを用いることを特徴とする請求項２６記載の周辺機器装置。
【請求項３２】  前記ユーザ情報にはユーザ識別コード及びユーザパスワードを用いることを特徴とする請求項２６記載の周辺機器装置。
【請求項３３】  前記ユーザ情報にはユーザ識別コード及び／又はユーザパスワード及び／又はサービスの種類を示すサービス識別コードを用いることを特徴とする請求項２６記載の周辺機器装置。